(57)【要約】【課題】皮膚や装置に対する通電発熱体の熱影響を低減させた体毛処理装置を提供する。【解決手段】この課題を解決するために、通電により発熱して体毛を焼き切る通電発熱体３７と、前記通電発熱体３７を保持する円筒状の回転シリンダ２１と、前記通電発熱体３７と共に前記回転シリンダ２１を軸回りに回転させる回転機構部２と、前記回転シリンダ２１を冷却する冷却部１１と、を備え、前記冷却部１１が前記回転シリンダ２１の周面に接触して前記回転シリンダ２１を冷却するものとした。【選択図】図１
2012070797.tif 000002
【特許請求の範囲】
【請求項１】
通電により発熱して体毛を焼き切る通電発熱体と、前記通電発熱体を保持する円筒状の回転シリンダと、前記通電発熱体と共に前記回転シリンダを軸回りに回転させる回転機構部と、前記回転シリンダを冷却する冷却部と、を備え、前記冷却部が前記回転シリンダの周面に接触して前記回転シリンダを冷却するものであることを特徴とする体毛処理装置。
【請求項２】
前記冷却部を回転シリンダ側に付勢する付勢部材を備えるものであることを特徴とする請求項１に記載の体毛処理装置。
【請求項３】
前記通電発熱体が一つ以上の線状部材からなり、前記回転シリンダが前記円筒の軸芯の軸方向の両端に夫々通電部材を備え、前記通電発熱体が前記通電部材を介して前記回転シリンダに位置決めされるものであることを特徴とする請求項１または請求項２に記載の体毛処理装置。
【請求項４】
前記回転シリンダが前記円筒の軸芯の軸方向の両端に夫々通電部材を備え、前記通電部材が円筒周方向に沿って板面を有した板状部材からなり、前記板状部材が前記円筒周方向に分割して構成されたものであることを特徴とする請求項１〜３のいずれかに記載の体毛処理装置。
【請求項５】
前記通電発熱体が回転シリンダの回転に伴い通電と非通電が切り換わるものであることを特徴とする請求項１〜４のいずれかに記載の体毛処理装置。
【請求項６】
前記通電発熱体が一つ以上の線状部材からなり、前記回転シリンダが、前記円筒の軸芯の軸方向の両端に夫々通電部材を備えると共に、前記回転シリンダが、前記通電発熱体の少なくとも一端に取り付けられて前記通電発熱体に張力を与える張力付与部を備え、前記通電部材が夫々前記通電発熱体の一端より前記線状部材上の他端側で前記通電発熱体と電気的に接続されるものであることを特徴とする請求項１〜５のいずれかに記載の体毛処理装置。
【請求項７】
前記通電発熱体が二つ以上の線状部材からなり、一方の前記線状部材が通電されて発熱した際に、他方の前記線状部材周辺の前記回転シリンダの周面が前記冷却部に冷却されるものであることを特徴とする請求項１〜６のいずれかに記載の体毛処理装置。
【発明の詳細な説明】
【技術分野】
【０００１】
本発明は、体毛処理装置、殊に通電発熱体を用いて体毛を処理する体毛処理装置に関するものである。
【背景技術】
【０００２】
従来から、体毛処理装置として、切断刃を用いて体毛を切断して体毛処理を行うものや、体毛を皮膚から引き抜き体毛処理を行うものや、通電発熱体で体毛を焼き切り体毛処理を行うもの（例えば、特許文献１等参照）等がある。切断するものでは処理した体毛の先端部が鋭い切断面として残るため、処理した皮膚の位置によっては衣服等と擦れて、不快感を与えることがあり、引き抜くものでは引き抜く際に痛みを伴うことがある。対して、焼き切るものは体毛の先端部が鋭くならずにすみ、皮膚に不快感を与え難いと共に、処理の際に痛みを伴い難いものとなっている。
【先行技術文献】
【特許文献】
【０００３】
【特許文献１】特開平１０−２３４４６０号公報
【発明の概要】
【発明が解決しようとする課題】
【０００４】
しかしながら、従来の焼き切るものでは、体毛を起す（起毛させる）ための櫛が本体ハウジングに固定されており、使い方の慣れない使用者では櫛で起毛し難く、通電発熱体へ体毛が導入され難いものである。そのため、体毛を処理したい対象位置（皮膚）上に対して複数回の体毛処理動作が行われることになると共に、体毛処理に時間（手間）がかかり、通電発熱体の発した熱で皮膚や装置が過熱される恐れがある。
【０００５】
そこで、この事情を鑑み、従来のものより、皮膚や装置に対する通電発熱体の熱影響を低減させた体毛処理装置を提供することを課題とした。
【課題を解決するための手段】
【０００６】
上記課題を解決するために、本発明の体毛処理装置は、通電により発熱して体毛を焼き切る通電発熱体と、前記通電発熱体を保持する円筒状の回転シリンダと、前記通電発熱体と共に前記回転シリンダを軸回りに回転させる回転機構部と、前記回転シリンダを冷却する冷却部と、を備え、前記冷却部が前記回転シリンダの周面に接触して前記回転シリンダを冷却するものであることを特徴とする。
【０００７】
この体毛処理装置として、前記冷却部を回転シリンダ側に付勢する付勢部材を備えるものであることが好ましい。
【０００８】
この体毛処理装置として、前記通電発熱体が一つ以上の線状部材からなり、前記回転シリンダが前記円筒の軸芯の軸方向の両端に夫々通電部材を備え、前記通電発熱体が前記通電部材を介して前記回転シリンダに位置決めされるものであることが好ましい。
【０００９】
この体毛処理装置として、前記回転シリンダが前記円筒の軸芯の軸方向の両端に夫々通電部材を備え、前記通電部材が円筒周方向に沿って板面を有した板状部材からなり、前記板状部材が前記円筒周方向に分割して構成されたものであることが好ましい。
【００１０】
この体毛処理装置として、前記通電発熱体が回転シリンダの回転に伴い通電と非通電が切り換わるものであることが好ましい。
【００１１】
この体毛処理装置として、前記通電発熱体が一つ以上の線状部材からなり、前記回転シリンダが、前記円筒の軸芯の軸方向の両端に夫々通電部材を備えると共に、前記回転シリンダが、前記通電発熱体の少なくとも一端に取り付けられて前記通電発熱体に張力を与える張力付与部を備え、前記通電部材が夫々前記通電発熱体の一端より前記線状部材上の他端側で前記通電発熱体と電気的に接続されるものであることが好ましい。
【００１２】
この体毛処理装置として、前記通電発熱体が二つ以上の線状部材からなり、一方の前記線状部材が通電されて発熱した際に、他方の前記線状部材周辺の前記回転シリンダの周面が前記冷却部に冷却されるものであることが好ましい。
【発明の効果】
【００１３】
このような構成としたことで、従来のものより、皮膚や装置に対する通電発熱体の熱影響を低減させることができる。
【図面の簡単な説明】
【００１４】
【図１】実施形態の一例の体毛処理装置の斜視図である。
【図２】同上の（ａ）平面図であり、（ｂ）Ａ−Ａ断面図である。
【図３】同上の一外側面側を分解した斜視図である。
【図４】図３の外側面に対向する外側面側を分解した斜視図である。
【図５】回転シリンダの斜視図である。
【図６】同上の（ａ）平面図であり、（ｂ）Ｂ−Ｂ断面図である。
【図７】同上の分解斜視図である。
【発明を実施するための形態】
【００１５】
以下、図面に基づいて本発明の実施形態を例示して説明する。
【００１６】
実施形態の一例の体毛処理装置は、図１−７に示すように、外側面５で囲まれた矩形状の本体１の一端に、体毛を処理する体毛処理部２０を設けたものである。
【００１７】
そして、体毛処理部２０は、回転自在に軸支された回転シリンダ２１と、回転シリンダ２１と共に回転する線状部材３８からなる通電発熱体３７と、回転シリンダ２１に体毛を導入させる体毛導入口と、を備えている。更に、本体１は、回転シリンダ２１を回転させる回転機構部２と、装置を制御する制御部９と、体毛処理部２０を冷却する冷却部１１と、各部に電力を供給する電源部６と、各部を電気的に接続する導電部材と、装置を操作する操作部８と、を備えている。そして、本体１の外側面５は使用者が把持可能な把持面となっている。
【００１８】
すなわち、本装置は本体１を把持して使用すると共に、皮膚等の体毛処理を行いたい部位に体毛導入口を当てて、本体１を該部位に沿って摺り動かすことで、体毛導入口に体毛を導入し、導入した体毛を通電発熱体３７で焼き切るものとなっている。なお、導電部材は、後述の通電具１０を除き説明や図示を省略するが、導電部材は、例えば、導電性を有した板ばね等の導電板や、リード線等の導線、或いは導電性薄膜等の、電気信号や電力を伝達可能な導電性を有した部材で構成されたものである。
【００１９】
詳しくは、図１−４に示すように、回転機構部２が、モータ等の駆動源３と、駆動源３の回転駆動を伝達する駆動伝達部４と、回転シリンダ２１を回転自在で支持すると共に本体１に固定された軸部材４１（詳細は後述する）と、からなる。そして、駆動源３は電源部６から電力供給を受けて駆動し、該駆動は駆動伝達部４を介して体毛処理部２０に伝達されている。
【００２０】
電源部６は、例えば、二次電池やバッテリ等の内部電源であり、内部電源消耗時には、本体１から電池カバー７を外して、内部電源を新たなものに交換することで、消耗した電力を回復するものとなっている。操作部８は外部操作されることで、電源部６から電力部からの給電及び遮断（電源のオンオフ）を切り換えるスライドスイッチとなっている。
【００２１】
制御部９は操作部８の外部操作に応じて通電発熱体３７へ給電のオンオフを制御している。そして、制御部９は電源部６からの電力を昇圧する昇圧回路を有しており、制御部９は電源部６からの電力を昇圧した後、通電具１０を介して通電発熱体３７に供給している。通電具１０は一端が制御部９と電気的に接続されており、他端が体毛処理部２０内に臨むと共に、該他端が回転シリンダ２１と電気的に接続されている。そして、通電具１０は、回転する回転シリンダ２１に他端が弾性的に接触しながら電気的に接続されている。
【００２２】
また、冷却部１１は、一端に開口を有した中空の箱状部１２と、箱状部１２内に配置された冷却材１７と、回転シリンダ２１と冷却材１７の熱交換を行う熱交換部１３と、箱状部１２を体毛処理部２０側に付勢する付勢部材１８と、からなる。箱状部１２は開口を体毛処理部２０側に向けて配置されており、箱状部１２の底部外方から付勢部材１８に付勢されている。付勢部材１８は箱状部１２を体毛処理部２０側へ押している。
【００２３】
熱交換部１３は空気や箱状部１２より熱伝導性の高い部材で構成されており、箱状部１２の開口を封止する封止部１４と、封止部１４から箱状部１２内に突出した熱伝部１６と、からなる。そして、熱伝部１６は箱状部１２の内部に突出した板状となっており、板の表面に冷却材１７が接触している。更に、封止部１４は外面が回転シリンダ２１の外周面に沿った曲面形状となっている。
【００２４】
そのため、箱状部１２は、付勢部材１８によって付勢されることで、封止部１４の外面が回転シリンダ２１の外周に沿って当接されて、熱交換部１３を介して回転シリンダ２１と冷却材１７の熱交換を行うものとなっている。すなわち、封止部１４の外面が回転シリンダ２１の熱を受ける冷却面１５となっており、冷却部１１は回転シリンダ２１を熱交換部１３を介して冷却材１７で冷却している。そして、符号１９は本体１（外側面５）から脱着自在な冷却部カバーであり、冷却材１７が劣化して冷却効率が低下した際に、冷却部カバー１９を本体１から取り外すことで、冷却部１１や冷却材１７を交換することができる。
【００２５】
なお、箱状部１２は熱交換部１３の熱で変形し難い耐熱性を有した部材で構成されたものが好ましく、付勢部材１８は、例えば、ばね等の弾性部材で構成したものが好ましい。そして、冷却材１７は空気より熱容量が大きい部材で構成されており、例えば、液状或いはゲル状の高分子材料を有する保冷剤や水等が好ましい。更に、熱伝部１６を構成する熱伝導性の高い部材とは、アルミニウムや銅等の金属材料が好ましい。ましてや、熱伝部１６は板状に限らず、錐形状や柱状のものであってもよいのはもちろん、封止部１４から熱伝部１６を複数突出させて設けてもよい。
【００２６】
体毛処理部２０は、図５−７に示すように、回転機構部２により回転する円筒状の回転シリンダ２１と、通電時に発熱する通電発熱体３７と、回転シリンダ２１を回転自在で支持する軸部材４１と、これら各部材が配置された配置空間４２と、で構成されている。そして、配置空間４２は本体１内部に形成されると共に、配置空間４２を外部に連通させる開口部４３を有しており、該開口部４３から回転シリンダ２１の外周面の略半周が外部に露出している。すなわち、開口部４３が回転シリンダ２１に体毛を導入可能な体毛導入口となっている。
【００２７】
また、軸部材４１は両端が本体１に固定されており、軸部材４１の軸回りに回転シリンダ２１が回転すると共に、回転シリンダ２１に通電発熱体３７が取り付けられている。以下、軸部材４１の軸芯に沿った方向を軸方向とし、回転シリンダ２１の回転する向きを回転方向とし、回転方向の先端側を回転前方とし、反対側を回転後方とする。
【００２８】
回転シリンダ２１は、円筒状の基部２２と、通電発熱体３７と電気的に接続された通電部材４４と、通電発熱体３７に張力をかける張力付与部４０と、通電部材４４を基部２２に取り付ける取付部３２と、からなる。
【００２９】
基部２２は内周に略同芯で軸部材４１が挿し通されており、軸部材４１の周面を基部２２が軸回りに摺り動くことで、回転シリンダ２１が回転するものとなっている。そして、基部２２は円筒の外周面に、円筒の軸方向の寸法全体に亘って軸芯側に凹んだ二本の溝２３と、皮膚或いは体毛に接して起毛する櫛状のコーム２４と、を備えている。更に、二つの溝２３は円周を二等分する位置に設けられており、基部２２の外周面は溝２３によって二等分されている。
【００３０】
なお、基部２２は、例えば、皮膚に接触した際の肌当たり感及びコストでは樹脂製が好ましく、放熱性（冷却機能）では金属製が好ましい。そして、金属製のものでは、導電性の無い或いは低い金属材料を用いたり、絶縁部材で基部２２の表面を覆ったりする等で基部２２を通電部材４４や通電発熱体３７等から絶縁することが好ましい。
【００３１】
コーム２４は溝２３毎に夫々形成された櫛部２５からなり、各櫛部２５は、起毛すると共に皮膚を押える櫛歯２６と、皮膚を押える肌押え部２７と、を備えており、二つの櫛歯２６は櫛歯２６によって形成される凹陥部２８によって区画されている。
【００３２】
詳しくは、櫛歯２６が溝２３より回転前方の位置に設けられると共に、軸方向に沿って複数並んで配置されている。そして、各櫛歯２６は、溝２３近傍の部位が回転シリンダ２１のラジアル方向に最も突出すると共に、該部位から回転前方に凹陥部２８を有している。そのため、一方の櫛部２５の櫛歯２６は、回転前方に位置する他方の櫛部２５の肌押え部２７から一方の櫛部２５の凹陥部２８によって区画されている。
【００３３】
また、肌押え部２７は溝２３より回転後方に位置すると共に、軸方向に沿って複数並んで設けられており、回転シリンダ２１のラジアル方向の先端に位置する先端部位が、基部２２と略同芯の円弧状になっている。そして、該円弧状の先端部位には、冷却部１１の冷却面１５が当接されており、回転シリンダ２１は櫛部２５を介して冷却部１１に冷却されている。すなわち、冷却面１５は肌押え部２７の先端部位に沿った形状となっており、冷却部１１は、通電発熱体３７によって加熱された櫛部２５と、冷却材１７と、の熱交換を行っている。
【００３４】
更に、櫛歯２６の溝２３近傍の部位の上記ラジアル方向の先端と、肌押え部２７の先端部位が、基部２２の軸芯を中心とした同一の仮想円の円周上に位置している。すなわち、櫛部２５の上記先端と肌押え部２７の先端部位が回転シリンダ２１から略同じ寸法でラジアル方向に突出している。そのため、櫛部２５は溝２３の前後で回転シリンダ２１に当接される皮膚を夫々櫛歯２６と肌押え部２７で押えており、櫛部２５は溝２３内への皮膚の落ち込み量を調整している。
【００３５】
また、溝２３は基部２２の外周に開口面を有すると共に、軸方向の両端にも開口しており、溝２３には夫々線状部材３８が一本ずつ配置されている。各線状部材３８は溝２３の軸方向の寸法の略全体に亘って開口面に張り渡されると共に、一端が他端側に向けて溝２３内で折り返されている。
【００３６】
すなわち、線状部材３８はＵ字状に屈曲させた姿勢で溝２３に配置されており、開口面上に張り渡された直線部分が通電時に発熱する切断線部３９となっている。そして、発熱した切断線部３９に体毛を接触させることで、体毛が焼き切られて、体毛処理が行われる。
【００３７】
なお、線状部材３８は、Ｕ字状に屈曲可能で且つ、通電に伴い発熱して体毛を切断可能な部材であればよく、例えば、ニッケルクロム合金等の通電時に発熱する金属製のワイヤーが好ましい。もちろん、線状部材３８は金属製に限らず、通電に伴い発熱して体毛を焼き切ることが可能であれば、炭素繊維や樹脂で形成してもよい。
【００３８】
また、線状部材３８の一端は張力付与部４０の一端に固定されており、他端が通電部材４４に固定されている。該張力付与部４０は線状部材３８の一端を軸方向に引っ張り、線状部材３８に張力を加えており、張力付与部４０は張力によって切断線部３９の弛みを抑制している。そして、張力付与部４０は、例えば、コイルばね等のばね材が好ましい。なお、他端も張力付与部４０で保持して、線状部材３８の両端に張力を付与してもよい。
【００３９】
更に、張力付与部４０の他端は保持部３６に取り付けられており、保持部３６は取付部３２に設けられている。該保持部３６は、例えば、他端を引っ掛けるフックや爪等が好ましいが、他端と嵌まり合う突起や凹み等であってもよい。なお、保持部３６は張力付与部４０を取付部３２に保持するものに限らず、基部２２に保持するものであってもよい。ましてや、張力付与部４０を溶接や溶着等で取付部３２や基部２２に他端を直接固定して保持部３６となる部材を削減してもよい。
【００４０】
また、基部２２は軸方向の両端面に夫々、他方の端面側に凹んだ凹所３０と、軸方向に沿って突出した突起２９と、からなる結合部を有しており、該結合部によって取付部３２が基部２２に固定されている。
【００４１】
そして、取付部３２は基部２２と略同芯で軸方向に厚さを有した円板で主体が構成されており、取付部３２は基部２２に当接される板面に被結合部を備えている。該被結合部は、凹所３０と嵌まり合う凸部３４と、突起２９と嵌まり合う切欠き３５と、からなり、被結合部は夫々結合部と嵌まり合う形状となっている。
【００４２】
すなわち、凸部３４と凹所３０が嵌まり合うと共に、突起２９と切欠き３５が嵌まり合うことで、取付部３２が基部２２に固定されると共に、取付部３２が基部２２と共に軸部材４１の軸周りに回転するものとなる。なお、符号３３が回転機構部２の駆動を受ける駆動受け部であり、駆動受け部３３で駆動を受けることで、回転シリンダ２１が本体１に対して回転するものである。
【００４３】
また、取付部３２は通電部材４４が円板の周面に沿って取り付けられている。該通電部材４４は導電性を有した略同形状の二枚の板状部材４５で主体が構成されており、二枚の板状部材４５は円板の周面に沿った曲面を有している。そして、各板状部材４５は夫々異なる位置で取付部３２の周面の略半分を覆うと共に、夫々他方の取付部３２の各板状部材４５と軸方向に並んで対を成している。
【００４４】
更に、板状部材４５は曲面の周方向の端部が内周側に屈曲されており、該端部は突起２９と切欠き３５の嵌まり合う間に位置しており、板状部材４５は突起２９及び切欠き３５の間に挟まれて取付部３２に保持されている。なお、板状部材４５は、例えば、導電性を有した金属製が好ましい。
【００４５】
また、板状部材４５は線状部材３８と電気的に接続する接点部４６を曲面上に有しており、接点部４６は溝２３と軸方向に並んで位置している。そして、接点部４６は、溝２３内に臨み線状部材３８と接触する接触部４８と、線状部材３８が挿し通される挿通孔と、を備えており、線状部材３８は挿通孔に挿し通されることで、溝２３の円筒の周方向に沿った寸法の略中間に位置決めされている。
【００４６】
更に、軸方向に対を成す接点部４６の一方には線状部材３８の他端を固定する固定部４７を備えており、線状部材３８は固定部４７及び張力付与部４０によって、溝２３内に保持されると共に、各接触部４８と電気的に接続されている。なお、符号３１は軸方向からラジアル方向に略Ｌ字状に貫通した折り返し穴であり、挿通孔に挿し通した線状部材３８の一端側を溝２３内に折り返して張力付与部４０で張力を付与した際に、挿通孔の縁部で線状部材３８が傷付くことを抑制している。
【００４７】
すなわち、線状部材３８は、挿通孔により位置決めされると共に、一端側を折り返し穴３１を介してＵ字に折り返された状態で、一端が張力付与部４０に保持されると共に、他端が固定部４７に固定されている。そして、線状部材３８の両接触部４８の間に位置する部位が体毛処理用の切断線部３９となる。なお、基部２２の軸芯から切断線部３９までのラジアル方向に沿った寸法は、基部２２の軸芯から櫛部２５のラジアル方向の先端部位までの寸法より若干短くなっており、櫛部２５に接触した皮膚が切断線部３９に接触し難い構成となっている。
【００４８】
また、通電部材４４は板状部材４５の曲面に通電具１０の他端側が弾性的に接触することで、制御部９と電気的に接続されるものである。そして、回転シリンダ２１の回転時には、電気的な接続を維持した状態で板状部材４５が通電具１０に対して摺り動き、半周毎に通電具１０と接触する板状部材４５が切り換わるものとなっている。
【００４９】
更に、各板状部材４５が通電具１０に接触する半周は、夫々保持した線状部材３８が開口部４３に位置する間となっており、残りの半周である外部に露出しない間は通電具１０と接触しないものとなっている。すなわち、回転シリンダ２１が半周する毎に、通電される線状部材３８が交互に切り換わると共に、各線状部材３８は夫々開口部４３を介して外部に露出した際に発熱するものとなっている。
【００５０】
このように、通電発熱体３７を回転シリンダ２１に取り付けて回転させたことで、使用者による装置の移動とは別動作で通電発熱体３７が皮膚に対して移動されて、体毛に通電発熱体３７を接触し易くすることができる。そして、通電発熱体３７が体毛に接触し易くなったことで、通電発熱体３７で体毛が熱切断され易くなり、通電発熱体３７の回転しない従来の焼き切る体毛処理装置に比べて、皮膚の同じ位置に対して体毛処理を行う回数を低減することができる。
【００５１】
そのため、従来の焼き切るものに比べて、体毛処理を容易に行うことができて、使用者に不快感を与え難くできると共に、体毛処理時に皮膚に付与される通電発熱体３７からの熱も低減できて、体毛処理装置による皮膚の過熱を抑制することができる。更に、体毛を焼き切り体毛処理を行うため、体毛を引き抜くものに比べて、体毛処理時に痛みを生じ難くすることができると共に、切断刃で切断するものに比べて、処理後の皮膚が衣服等と擦れても、使用者に不快感を与え難くすることができる。
【００５２】
そして、回転シリンダ２１の周面にコーム２４を設けたことで、コーム２４が回転しながら体毛や皮膚に接触して、コーム２４で体毛を起き上がらせ易くなると共に、体毛を溝２３内に導入させ易くなる。そのため、コーム２４を備えていないものやコーム２４の回転しないものに比べて、体毛をより溝２３に導入し易くできると共に、体毛を起した状態で溝２３に導入できて、体毛が線状部材３８に切断され易くなり、体毛処理効率を向上することができる。
【００５３】
更に、溝２３の回転後方に肌押え部２７を配置したことで、櫛刃２６と肌押え部２７が溝２３の前後に位置する皮膚を押えて、皮膚の溝２３内への落ち込みが調整されて、発熱した線状部材３８への皮膚の接触を抑制することができる。
【００５４】
また、冷却部１１を備えたことで、通電発熱体３７を有した回転シリンダ２１を冷却できると共に、回転シリンダ２１の温度上昇を低減できて、皮膚や装置が通電発熱体３７の熱による影響を受け難くすることができる。そのため、温度上昇したコーム２４の接触による不快感を使用者に与え難くできると共に、装置の各部の温度上昇による各部の熱変形や電気的な接続部分の接触不良等の熱による不具合の発生も抑制することができる。
【００５５】
そして、冷却部１１の冷却面１５とコーム２４の肌押え部２７に面接触させて冷却したことで、線状部材３８を直接冷却せずにすみ、急激な温度変化による線状部材３８の破損や強度低下を抑制できて、装置の耐久性及び安全性を向上することができる。更に、付勢部材１８によって冷却部１１を体毛処理部２０側に付勢したことで、回転する回転シリンダ２１に冷却部１１を安定して接触させることができて、冷却部１１による冷却効率をより向上させることができる。
【００５６】
また、通電部材４４を円周方向に沿って機械的及び電気的に略同形状で線状部材３８と同数に分割したことで、線状部材３８毎に通電非通電を設定できると共に、回転シリンダ２１の回転に伴って通電非通電を容易に切り換えることができる。
【００５７】
そのため、線状部材３８が体毛導入口内に位置する間のみ通電させることができて、体毛導入口から露出しない体毛を切断できない位置を移動する間の線状部材３８を非通電にして冷却部１１で冷却することができる。すなわち、体毛を切断できない位置での線状部材３８の発熱を抑制すると共に、発熱していない線状部材３８が冷却部１１に冷却されて、冷却効率を向上させることができると共に、装置の温度上昇をより軽減することができる。
【００５８】
更に、回転シリンダ２１の円周を二等分する位置に線状部材３８を設けると共に、各線状部材３８の通電非通電を半周毎に切り換えたことで、一方の線状部材３８が発熱した際に、他方の線状部材３８の周辺を冷却部１１で冷却させることができる。
【００５９】
そのため、装置の温度上昇を抑えて発熱させた線状部材３８で回転シリンダ２１の半周毎に体毛処理を行えて、回転シリンダ２１一回転あたりの体毛処理効率をより向上することができる。なお、線状部材３８は二本に限らず、三本以上設けてもよく、このものでは線状部材３８の数に応じて回転シリンダ２１の円周を等分する位置に各線状部材３８を配置することが好ましい。
【符号の説明】
【００６０】
２  回転機構部
１１  冷却部
１８  付勢部材
２１  回転シリンダ
３７  通電発熱体
３８  線状部材
４０  張力付与部
４４  通電部材
４５  板状部材
【図１】
2012070797.tif 000003
【図２】
2012070797.tif 000004
【図３】
2012070797.tif 000005
【図４】
2012070797.tif 000006
【図５】
2012070797.tif 000007
【図６】
2012070797.tif 000008
【図７】
2012070797.tif 000009